(57)【要約】【課題】  設定された紙葉類の正損比率に基づいて正損判別レベルを設定することにより、正損区分処理される紙葉類の正損比率の変動を抑えることができる紙葉類処理装置及び正損判別レベル設定方法を提供する。【解決手段】  ファーストイン、ファーストアウト方式を用いたリングバッファを設け、このリングバッファに、紙葉類の正損レベルを所定枚数ｎ（例えば１５００枚）分格納する。このリングバッファは券種（３２券種）分用意される。なお、必要に応じて券種毎に搬送方向毎の正損レベルを設ける場合もある。このようにして格納された正損レベルを元に正損分布（オリジナルＧｒｆ１）を作成する。次に、この正損分布に対して設定された正損比率Ｕｒに対して正損判別レベルＬを算出する。【選択図】  図１
2007087219.tif 000002
【特許請求の範囲】
【請求項１】
搬送される紙葉類を設定された正損比率によって正損判別する紙葉類処理装置であって、
前記紙葉類の正損レベルを検知する正損レベル検知手段と、
前記正損レベル検知手段で検知された正損レベルを所定枚数分記憶する正損レベル記憶手段と、
この正損レベル記憶手段に記憶された正損レベルを更新する更新手段と、
前記正損比率を設定する操作表示手段と、
この操作表示手段によって設定された正損比率に基づいて前記更新手段によって更新された正損レベルから正損判別レベルを算出する正損判別レベル算出手段と、
この操作表示手段によって設定された前記正損比率に基づいて前記紙葉類の正損レベルを判別する正損判別手段と、
を備えたことを特徴とする紙葉類処理装置。
【請求項２】
前記正損レベル更新手段は、
前記正損レベル記憶手段に記憶された正損レベルが所定枚数に達した後は、続けて搬送される前記紙葉類の正損レベルを入力し、先に入力された前記正損レベルを破棄することによって正損レベルを更新することを特徴とする請求項１記載の紙葉類処理装置。
【請求項３】
前記正損判別レベル算出手段は、
前記正損レベル記憶手段に記憶された正損レベルに基づいて正損分布を生成し、この生成された正損分布に占める損券の比率が前記正損比率になるように算出した正損レベルを正損判別レベルとすることを特徴とする請求項１記載の紙葉類処理装置。
【請求項４】
前記操作表示手段は、
操作を案内する表示手段と、
この表示手段に基づいて入力された前記正損比率を入力する入力手段と、
を備えたことを特徴とする請求項１記載の紙葉類処理装置。
【請求項５】
搬送される紙葉類を設定された正損比率によって正損判別する紙葉類処理装置の正損判別レベル設定方法であって、
前記紙葉類の正損レベルを検知する第１の工程と、
この第１の工程によって検知された正損レベルを所定枚数分記憶する第２の工程と、
この正損レベル記憶手段に記憶された正損レベルを更新する第３の工程と、
前記正損比率が設定されたとき、この設定された正損比率に基づいて前記第３の工程によって更新された正損レベルから正損判別レベルを算出する第４の工程と、
を有することを特徴とする正損判別レベル設定方法。
【発明の詳細な説明】
【技術分野】
【０００１】
本発明は、紙幣などの紙葉類の正損を判別して区分処理する紙葉類処理装置、及びこの紙葉類処理装置の正損判別レベル設定方法に関する。
【背景技術】
【０００２】
従来、紙幣などの紙葉類を処理する紙葉類処理装置には、正券（最流通可能な紙葉類）と損券（最流通不可能な紙葉類）とを区分するための正損判別レベルが設定されている。この正損判別レベルは、例えば、１０段階設けられており、紙葉類処理装置の操作表示部から操作員が設定できるようになっている。（例えば、特許文献１参照。）。
【特許文献１】特許第３２６３１１２号公報  （第２頁、図１）
【発明の開示】
【発明が解決しようとする課題】
【０００３】
しかしながら、例えば、処理される紙葉類に綺麗な紙葉類が多いと正券比率が高くなり、汚れた紙葉類が多いと損券比率が高くなる。通常、損券は再流通不可能な紙葉類であるため、紙葉類の発行元で廃棄処分になる。そのため、損券比率が高くなると再発行費用が発生するなど正損比率が変動することによる課題が指摘されていた。また、この課題を解決するために、操作員が処理する紙葉類の全体の質をマクロで判断して上記正損判別レベルを変えながら紙葉類処理装置を稼動し、正損比率が大きく変動しないようにするなど正損判別レベル設定を人手による判断にゆだねざるを得ないという課題が指摘されていた。
【０００４】
本発明は、上記課題を解決するためになされたもので、設定された紙葉類の正損比率に基づいて正損判別レベルを設定することにより、正損区分処理される紙葉類の正損比率の変動を抑えることのできる正損判別レベル設定方法及びこの正損判別レベル設定方法を用いた紙葉類処理装置を提供する。
【課題を解決するための手段】
【０００５】
上記目的を達成するために、本発明の請求項１記載の紙葉類処理装置は、搬送される紙葉類を設定された正損比率によって正損判別する紙葉類処理装置であって、前記紙葉類の正損レベルを検知する正損レベル検知手段と、前記正損レベル検知手段で検知された正損レベルを所定枚数分記憶する正損レベル記憶手段と、この正損レベル記憶手段に記憶された正損レベルを更新する更新手段と、前記正損比率を設定する操作表示手段と、この操作表示手段によって設定された正損比率に基づいて前記更新手段によって更新された正損レベルから正損判別レベルを算出する正損判別レベル算出手段と、この操作表示手段によって設定された前記正損比率に基づいて前記紙葉類の正損レベルを判別する正損判別手段と、を備えたことを特徴とする。
【０００６】
また、本発明の請求項５記載の正損比率設定方法は、搬送される紙葉類を設定された正損比率によって正損判別する紙葉類処理装置の正損判別レベル設定方法であって、前記紙葉類の正損レベルを検知する第１の工程と、この第１の工程によって検知された正損レベルを所定枚数分記憶する第２の工程と、この正損レベル記憶手段に記憶された正損レベルを更新する第３の工程と、前記正損比率が設定されたとき、この設定された正損比率に基づいて前記第３の工程によって更新された正損レベルから正損判別レベルを算出する第４の工程と、を有することを特徴とする。
【発明の効果】
【０００７】
本発明によれば、設定された紙葉類の正損比率に基づいて正損判別レベルを設定することができるので、正損区分処理される紙葉類の正損比率の変動を抑えることができる。
【発明を実施するための最良の形態】
【０００８】
以下、図面を参照して本発明の実施例を説明する。
【実施例】
【０００９】
図１は、本発明の実施例による正損判別レベル設定方法を備えた紙葉類処理装置の概略断面図である。紙葉類処理装置は、紙葉類処理部１及び操作部５５０で構成されている。
【００１０】
操作部５５０に接続された操作表示部５５２から操作員の操作によって、入金業務、整理業務などの取引方法の設定、処理した紙葉類Ｐを収納する収納庫（以下、カセットと称する。）を設定するカセットアサイン、及び紙葉類Ｐの正損比率設定などが行われる。この設定の後、供給部１０に供給された複数券種の紙葉類Ｐが一定の間隔で１枚ずつ取り出されて搬送され、上記カセットアサインによって設定されたカセット（５７Ｄ〜６２Ｄ）に収納、又は施封される。
【００１１】
また、設定した業務の取引終了時には、各業務終了に伴う取引の区切り処理が行われる。さらに、１日の業務終了などの単位で取引計数を集計し、上位ＰＣ（図示しない）に取引結果を通知するバランス処理が行われる。この上位ＰＣ６には、例えば、本実施例の紙葉類処理装置が複数台接続され、各紙葉類処理装置の稼動状況の把握や、各紙葉類処理装置からの処理結果の集計を行う。
【００１２】
入金業務とは、予め合計金額のわかっている複数券種の紙葉類Ｐを、紙葉類処理装置を用いて、券種毎、搬送方向毎、正損毎に区分し、紙葉類処理装置で計数した金額が正しいことを確認し、システム（上位ＰＣ）に登録する業務である。なお、この業務によって処理された紙葉類Ｐは、上述した集積装置５７〜６２の各カセット５７Ｄ〜６２Ｄに集積され、又は施封部４で施封される。
【００１３】
整理業務とは、入金業務においてシステム（上位ＰＣ）に計数を登録しない業務である。取引した券種を計数することが目的ではなく、一度入金業務などで計数を行った券種をさらに詳細に（例えば、表裏及び正損毎に）集積装置５７〜６２の各カセット５７Ｄ〜６２Ｄに集積したり、施封を行ったりするために使用する。
【００１４】
カセットアサインとは、集積装置５７〜６２の各カセット５７Ｄ〜６２Ｄに収納する券種、及び施封部で施封する券種を設定することである。
【００１５】
正損比率設定とは、再流通可能な正券と再流通不可能な損券に区分する閾値である正損判別レベルを設定することである。詳細は後述するが、正損判別レベルの値が大きくなるほど損券と判別される比率（以下、正損比率と称する。）が大きくなる。
【００１６】
取引の区切り処理とは、各取引終了後、例えば操作表示部５５２に設けられた完了ボタン（図示しない）が押下されたとき、上記集積装置５７〜６２に集積された紙葉類を各カセット５７Ｄ〜６２Ｄに収納する処理のことで、紙葉類が収納された各カセットは、操作員によって空のカセットと交換される。
【００１７】
ここで、紙葉類Ｐが搬送されるときの搬送方向について説明する。紙葉類Ｐは、表（Ｆａｃｅ：表を上にした状態）、裏（Ｂａｃｋ：裏を上にした状態）、正（Ｆｏｗａｒｄ：紙葉類の表もしくは裏の印刷が正立した状態）、逆（Ｒｅｖｅｒｓｅ：紙葉類の表もしくは裏の印刷が倒立した状態）の４種類あり、これらを組み合わせた表正ＦＦ、表逆ＦＲ、裏正ＢＦ、裏逆ＢＲからなる４種類の搬送方向が形成される。
【００１８】
紙葉類処理部１は、紙葉類Ｐを供給する供給部１０と、この供給部１０から供給された紙葉類Ｐを１枚ずつ取り出す紙葉類取出部２００と、この紙葉類取出部２００によって取り出された紙葉類Ｐを搬送する搬送路１６とを有している。また、この搬送路１６によって搬送される紙葉類Ｐの搬送スキュー、搬送位置ずれ（搬送スライド）を補正する搬送補正部２１０が配置されている。さらに、この搬送補正部２１０によって搬送補正された紙葉類Ｐを１枚ずつ判別する紙葉類判別部１９、が搬送路１６に沿って配置されている。この紙葉類判別部１９による紙葉類の判別結果は、紙葉類処理装置を制御する主制御部５００に送信される。主制御部５００は、受信した判別結果に基づいて、後述する搬送制御部、施封制御部４００を制御する。搬送制御部は、紙葉類の搬送を制御するもので、分岐ゲートＧ１、Ｇ２、・・・Ｇ８、及び搬送方向を揃えるために反転する反転処理部を制御する。このようにして搬送方向の揃えられた紙葉類Ｐは操作表示部５５２によって、区分方法が設定されると、この設定に基づいて施封する施封部４で施封され、又は券種毎に集積する集積部５０で集積される。
【００１９】
さらに、紙葉類処理部１はインターフェース５０１を介して操作部５５０に接続されている。以下、紙葉類処理部１の構成を紙葉類Ｐの供給部１０から順に説明する。
【００２０】
上記供給部１０は、４種類の搬送方向が混在する紙葉類Ｐを当接して整位するステージ１１と、このステージ１１に対して鉛直方向に立設したバックアッププレート１２とで構成されている。また、このバックアッププレート１２は、バネ１３の付勢力によってステージ１１に沿って左側に移動可能になっている。このようにして供給された紙葉類Ｐは、バックアッププレート１２によりピックアップローラ５側に圧接される。この状態において、紙葉類Ｐは、取り出しローラ３０が回転することにより一定間隔を有して1枚ずつ取り出されて搬送路１６に繰り出される。
【００２１】
搬送補正部２１０は、搬送ローラ２１１の搬送方向下流に近接して設置されて紙葉類Ｐを検知するタイミングセンサＳＣ１と、搬送ローラ２１３、２１４及び図示しない搬送ガイドで構成される。
【００２２】
分岐ゲートＧ１は、例えば、リジェクト券と、処理券とに振り分けるゲートである。リジェクト券とは、紙葉類判別部１９の紙葉類判別部で紙葉類Ｐを判別した結果、紙葉類Ｐが偽券、又は折れ、破れ、スキューなどにより判別のできない「判別不能券」と判別された紙葉類をいう。この判別結果を搬送制御部が受信すると、分岐ゲートＧ１を右側（時計方向）に回動することにより、当該リジェクト券をリジェクト集積部８０に集積する。
【００２３】
また、処理券とは、紙葉類判別部１９で判別された紙葉類Ｐが真券で正券、又は真券で損券をいう。搬送制御部は、その判別結果を受信すると、分岐ゲートＧ１を左側（反時計方向）に回動して、当該紙葉類を区分処理する。
【００２４】
反転処理部は、スイッチバック反転部（図示しない）及び表裏反転部９で構成され、取り揃える方向により上記スイッチバック反転部及び表裏反転部９の一方、若しくは両方が使用される。
【００２５】
分岐ゲートＧ２は、表裏反転分岐ゲートである。紙葉類判別部１９で判別された紙葉類Ｐの搬送方向の判別結果に基づき、表裏反転を必要とする場合に右側（時計方向）に回動し、紙葉類Ｐを図示矢印Ａ６で示す表裏反転部９を通過させる。また、表裏反転を必要としない場合、分岐ゲートＧ２を、左側に回動し、紙葉類Ｐを図示矢印Ａ４で示す方向に搬送させる。
【００２６】
表裏反転部９は、紙葉類判別部１９で判別された結果に基づき、紙葉類Ｐの搬送方向の表裏を反転する。例えば搬送方向が裏正（ＢＦ）の場合、表裏反転部９によって表正ＦＦになる。
【００２７】
分岐ゲートＧ３は、搬送される紙葉類Ｐを搬送路１６から施封部４、又は集積部５０に分岐する分岐ゲートである。搬送される紙葉類Ｐが主制御部５００によって施封するように指定された券種の場合、搬送制御部は、分岐ゲートＧ３を右側（時計方向）に回動し、紙葉類Ｐを施封部４が設けられている図示矢印Ａ４０の方向に搬送する。また、それ以外の券種の紙葉類Ｐは、分岐ゲートＧ３から分岐ゲートＧ４〜Ｇ８を経由して集積装置５７〜６２に集積するように振り分けられる。
【００２８】
施封部４及び集積部５０には、紙葉類Ｐが搬送される搬送路から分離するために搬送路の終端に紙葉類Ｐを集積する集積装置として羽根車集積装置が設けられている。
【００２９】
この羽根車集積装置は、例えば、集積装置５７の場合、羽根車５７Ａ、一時集積庫５７Ｂ、シャッター５７Ｃ、カセット５７Ｄ、及び集積を補佐するプッシャ（図示しない）などの装置で構成される。
【００３０】
羽根車５７Ａは、複数の羽根が回転軸の周辺に組み込まれており、搬送されてきた紙葉類Ｐを羽根と羽根の間で受け取れるように紙葉類Ｐの搬送に同期して回転している。この羽根車を使用することによって、高速に搬送される紙葉類Ｐの運動エネルギーを吸収しながら、かつ、紙葉類Ｐを整位しながら一時集積庫５７Ｂに集積する。
【００３１】
一時集積庫５７Ｂは、集積装置５７で使用される一時集積庫５７Ｂと、施封部４の一時集積庫４２Ｂとでは以降で処理する目的が異なるために形態が異なっている。
【００３２】
集積装置５７で使用される一時集積庫５７Ｂには、シャッター５７Ｃが備えられており、このシャッター５７Ｃの上に紙葉類Ｐが集積される。そして、このシャッター５７Ｃに集積された紙葉類Ｐは、例えば満杯になったとき、又は業務終了指示（図示しない）などがあると、シャッター５７Ｃが開き、シャッター５７Ｃ下部に設けられたカセット５７Ｄに設けられたバックアッププレート（図示しない）の上に落下する。落下した紙葉類Ｐは、プッシャーによってカセット５７Ｄに押し込まれる。従って、押し込まれる紙葉類の枚数が増えるとバックアッププレートは下側に移動する。以上の動作は、集積装置５７〜６２で共通である。
【００３３】
施封部４は、第１集積部４２、第２集積部４３、搬送部、紙帯部４６、帯送り部４７、帯巻き部４８で構成される。本実施例では、施封部４が、上記第１集積部４２、第２集積部４３を有している場合を説明するが、必要に応じてこれら２個の集積部を対にして複数セット用いてもよい。
【００３４】
第１集積部４２及び第２集積部４３は、共に同様に構成されているため、第１集積部４２についてその構成を説明し第２集積部４３の説明を省略する。
【００３５】
第１集積部４２には、施封搬送路４０Ａから紙葉類を分岐する分岐ゲートＧ１２、振り分けられた紙葉類Ｐを搬送する搬送路４０Ｂ、搬送路４０Ｂの終端から送り出された紙葉類を受け取る羽根車４２Ａ、この羽根車４２Ａによって受け取られた紙葉類Ｐを集積する一時集積庫４２Ｂ、集積された紙葉類Ｐを押圧するプッシャー（図示しない）が設けられている。以下、施封部４の各部構成について詳細に説明する。
【００３６】
一時集積庫４２Ｂは、搬送される紙葉類Ｐを計数し１００枚毎に区分して集積するバックアッププレート４２Ｃを備えている。
【００３７】
搬送部は、縦搬送路４４Ａ、４４Ｂ、搬送キャリア４４Ｄ、及び横搬送路４４Ｃから構成される。縦搬送路４４Ａ、４４Ｂは、バックアッププレート４２Ｃ、４３Ｃで受けた１００枚紙葉類４５を上昇又は下降するためのものである。また、搬送キャリア４４Ｄは、縦搬送路４４Ａ又は縦搬送路４４Ｂの停止位置でバックアッププレート４２Ｃ又は４３Ｃから１００枚紙葉類４５を受け、施封トレイ（図示しない）に渡すために横搬送路４４Ｃ上を往復移動することができるように構成される。
【００３８】
紙帯部４６は、施封トレイに積載された１００枚紙葉類４５を施封するための紙帯４６Ａ、この紙帯４６Ａに印刷するための印刷機能と印刷された紙帯４６Ａを送る機能とを備えた帯送り部４７、１００枚紙葉類４５を帯送り装置から送られた印刷済み紙帯で施封する帯巻き部４８、及び施封部４を制御する施封制御部４００とで構成される。
【００３９】
図２は、主制御部５００に接続される紙葉類判別部１９、搬送制御部２６、施封制御部４００、及び操作部５５０の接続状態を示すブロック図である。
【００４０】
主制御部５００は、操作部５５０の指示に基づいて、搬送された紙葉類Ｐの判別結果を紙葉類判別部１９から受信し、紙葉類Ｐを区分処理するために、搬送制御部２６、及び施封制御部４００を制御する。また、紙葉類Ｐの判別結果を操作部５５０に送信する。
【００４１】
紙葉類判別部１９は、正損レベル検知手段として紙葉類Ｐ光学的特性を検知する。また、真偽検知手段として紙葉類Ｐの磁気的特性を検知する。これらの検知を行うための複数のセンサ１〜ｎが設けられており、これらセンサ１〜ｎの出力信号を増幅する増幅回路１〜ｎ、この増幅回路１〜ｎの出力信号を処理する処理手段から構成される。この処理手段は、Ａ／Ｄ変換するためのＡ／Ｄ変換部２４、このＡ／Ｄ変換部２４でＡ／Ｄ変換されたデータを論理演算する論理回路部２３、この論理回路部２３の出力信号から真偽判別手段によって真偽（本物か偽物か）が判別され、正損判別手段によって正損（正券か損券か）が判別される。紙葉類判別部１９の全体を制御するＣＰＵ２１と、このＣＰＵ２１によってアクセスされる記憶部２５、及びＣＰＵ２１で判別された結果を主制御部５００との間で通信するためのＩ／Ｆ部２２とで構成される。
【００４２】
搬送制御部２６は、紙葉類判別部１９の判別結果により、搬送される紙葉類Ｐの行き先を決定して、紙葉類Ｐの搬送制御を行うＣＰＵ２７と、このＣＰＵ２７によってアクセスされる記憶部２９と、主制御部５００とのＩ／Ｆ部２８とで構成される。
【００４３】
主制御部５００は、主制御部５００を制御するＣＰＵ５０４、記憶部５０５、インターフェース部５０３を備えており、紙葉類判別部１９、搬送制御部２６、及び施封制御部４００に接続される。また、インターフェース５０１を介して操作表示部５５２と接続される。
【００４４】
ＣＰＵ５０４は、操作表示部５５２から操作員によって設定された入金業務、整理業務などの取引方法の設定、処理した紙葉類Ｐを収納する収納庫を設定するカセットアサインの設定、及び紙葉類の判別レベルである正損判別レベル設定などの情報を紙葉類判別部１９に送信する。また、紙葉類Ｐの判別結果を紙葉類判別部１９から受信し、操作部５５０に送信する。ここでは、取引の区切り処理が行われた際の取引計数が送信される。
【００４５】
図３は、紙葉類の汚れの程度による正損分布を説明する図である。紙葉類の損券には、紙葉類の形状に基づく物理的な損券と、紙葉類の汚れの程度による視覚的な損券がある。
【００４６】
物理的な損券には、紙葉類判別部１９によって紙葉類の破れ、穴、折れの量が事前に設定された値を超えと判別された紙葉類が含まれる。一方、視覚的な損券は、紙葉類の汚れの程度に基づいているため、操作員が操作表示部５５２から設定した正損判別レベルに基づいて紙葉類の正損が判別される。
【００４７】
図３（１）は、汚れた紙葉類が多い場合の正損分布で、正損比率Ｕｒ３０％のとき、斜線で示す部分に含まれる紙葉類Ｐが損券と判別される。また、このときの正損レベルが２０に設定されていることを示している。
【００４８】
図３（２）は、通常レベルの紙葉類の正損分布で、正損比率Ｕｒ３０％のとき、斜線で示す部分に含まれる紙葉類Ｐが損券と判別される。また、このときの正損レベルが３０に設定されていることを示している。
【００４９】
図３（３）は、綺麗な紙葉類が多い場合の正損分布で、正損比率Ｕｒ３０％のとき、斜線で示す部分に含まれる紙葉類Ｐが損券と判別される。また、このときの正損レベルが４５に設定されていることを示している。
【００５０】
以上、図３（１）〜図３（３）で図示した例は、正損比率Ｕｒ３０％に設定された場合に、処理される紙葉類の汚れの程度によって正損判別レベルが異なることを示している。
【００５１】
図４は、正損レベル記憶手段である正損レベルを記憶するリングバッファ（図２の正損レベル５０６）を説明する図である。このリングバッファは、例えば、上述した区切り処理毎に正損判別処理した紙葉類の正損レベルを事前に設定した所定枚数ｎ枚分記憶するメモリである。従って、本実施例では券種１から券種３２まで、３２券種分用意されている。
【００５２】
所定枚数ｎは、例えば５００、１０００、１５００などから選択して用いることができる。このリングバッファは、ファーストイン、ファーストアウト方式による正損レベル更新手段を兼ねており、正損レベル記憶手段であるリングバッファに記憶された正損レベルが所定枚数ｎに達した後は、続けて搬送される紙葉類Ｐの正損レベルを入力し、先に入力された正損レベルを破棄することによって正損レベル更新することができる。すなわち、正損判別処理した枚数が所定枚数ｎを超えると、古いデータから廃棄され、暫時新しい正損レベルが記憶される。
【００５３】
図５は、券種１の正損比率Ｕｒに合わせて作成される正損判別レベルを示す図である。操作部５５０の操作表示部５５２の画面又はキーボードなどの入力部５５１から、処理する紙葉類の券種及び正損比率Ｕｒが設定されると、操作部５５０のＣＰＵ（図示しない）は、上記リングバッファに記憶している正損レベルを元に、指定された正損比率Ｕｒに基づく正損判別レベルを算出する。
【００５４】
図示した例は、指定された券種の正損比率Ｕｒを３０％に設定した場合の正損判別レベルを搬送方向毎に表正ＦＦ、表逆ＦＲ、裏正ＢＦ、裏逆ＢＲの４方向設定した場合を示している。搬送方向毎に正損判別レベルが必要な理由は、処理される紙葉類の搬送方向が４方向混在している場合、紙葉類の上面の正損を検知する光学検知器と紙葉類の下面を検知する光学検知器が異なるため、紙葉類の搬送方向によって、検知出力に誤差が生じる場合がある。その誤差を吸収するため、搬送方向毎に正損判別レベルが設けられている。しかしながら、適用する紙葉類によっては搬送方向が表（ＦＦ、ＦＲ）と搬送方向が裏（ＢＦ、ＢＲ）の正損判別レベルを共通にできる場合もある。
【００５５】
図６は、正損比率Ｕｒに合わせて、正損判別レベルを設定した場合の正損分布である。例えば、図３（２）に示す通常レベルの紙葉類の正損分布を元に、正損比率Ｕｒ３０％になるように正損判別レベルＬ３０（以下、正損判別レベルＬ３０と称す。）を設定する。
【００５６】
図７は、正損判別レベル設定処理を説明するフローチャートである。なお、この正損判別レベル設定処理は、正損判別レベル算出手段である主制御部５００のＣＰＵ５０４によって行われる。一例として、正損比率Ｕｒ１０％に設定して、紙葉類の整理業務を行う場合の正損判別レベルＬ１０が算出される様子を以下、順を追って説明する。
【００５７】
操作員が操作部５５０から正損比率を設定し、装置を起動すると紙葉類Ｐが搬送される（Ｓ１）。
【００５８】
搬送された紙葉類Ｐは、紙葉類判別装置１９によって正損レベルが検知され（Ｓ２、第1の工程）、検知された正損レベルは主制御部５００の記憶部５０５に設けられた正損レベル５０６（リングバッファ）に記憶される（Ｓ３、第２の工程）。
【００５９】
搬送された紙葉類Ｐの枚数が所定枚数ｎに達していない場合は、ステップＳ１からＳ３まで繰り返し紙葉類Ｐの枚数が所定枚数ｎに達するまで繰り返す（Ｓ４のＮｏ）。
【００６０】
搬送された紙葉類Ｐの枚数が所定枚数ｎに達すると、続けて搬送された紙葉類の正損レベルをリングバッファに入力し、先に入力された正損レベルを破棄することによって正損レベルを更新する（Ｓ５、第３の工程）。
【００６１】
ステップ１で設定された正損比率に基づく正損判別レベルを算出する（Ｓ６、第４の工程）。以上が正損判別レベル設定処理である。次に、図８、図９を参照して具体的な動作を説明する。
【００６２】
図８は、リングバッファに格納されている紙葉類の所定枚数ｎが１５００枚に設定されている場合の正損レベルの分布図である。この分布図は、横軸を正損レベルとし、縦軸を枚数として作成した分布図で、処理された紙葉類の正損の汚れの程度を示すものである。正損比率Ｕｒ１０％の損券となる枚数は、下式（１）で算出される。  
Ｕｒ１０％・・・１５００枚×０．１＝１５０枚・・・（１）
すなわち、正損比率Ｕｒ１０％とは、損券の比率が１０％であることを示し、正損分布の正損レベルの低い方から計数して約１５０枚になるまでの部分が損券となる。従って上記１５０枚目の正損レベルＬを正損判別レベルＬ１０と設定する。以上の処理を、他の正損比率Ｕｒにも適用することによって、リングバッファに格納されている正損レベルから正損比率Ｕｒ１０％が得られる正損判別レベルＬ１０が設定される。
【００６３】
図８は、正損判別レベルの更新を説明する図で、処理する紙葉類の正損分布が、右側にシフトしている場合の例である。処理する紙葉類の汚れが少ない場合には、図３（３）で説明したように、正損レベルが右側にずれることになる。オリジナルの正損分布をＧｒｆ１で示し、右側にずれた場合の正損分布をＧｒｆ２で示してある。Ｇｒｆ２では、Ｇｒｆ１の正損比率Ｕｒ１０％を示すポイントＰ１（正損判別レベルＬ１０）からポイントＰ２にずれることになる。
【００６４】
本実施例では、このようにオリジナルの正損分布Ｇｒｆ１からずれた場合には、このずれた正損分布Ｇｒｆ２を元に、正損比率Ｕｒに対する正損判別レベルＬが算出される。この新規に算出された正損判別レベルＬ１０がポイントＰ２に相当する。すなわち、正損判別レベルＬ１０がポイントＰ１からポイントＰ２に更新されたことになる。
【００６５】
以上の処理を他の券種に適用することによって、処理する券種の正損判別レベルＬ１０が新規に設定される。
【００６６】
上述した実施例では、処理する紙葉類の正損分布がＧｒｆ２に従うものとして説明したが、実際の場合には、処理した結果でなければ正損分布がわからない。そのため、最初にオリジナルＧｒｆ１を算出し、このオリジナルＧｒｆ１に基づいて、設定された正損比率Ｕｒに基づいて正損判別レベルＬを設定し、その後は、この設定された正損比率Ｕｒ、及び正損判別レベルＬを、次に処理された紙葉類の正損レベルをリングバッファに格納することにより、紙葉類1枚毎に正損比率Ｕｒ及び、正損判別レベルＬが算出される。
【００６７】
このようにして正損比率Ｕｒを達成するための正損判別レベルＬがオンライン処理中に算出される。このようにして、常に安定した正損比率Ｕｒで紙葉類が区分処理される。  
（変形例）
上述した実施例では、設定した紙葉類の枚数ｎをリングバッファに格納し、この格納した紙葉類の正損レベルからオリジナルの正損分布Ｇｒｆ１を算出し、この正損分布Ｇｒａｆ１に基づいて正損比率Ｕｒ、及びこの正損比率Ｕｒに達する正損判別レベルＬを設定し、その後、紙葉類の正損判別処理が行われる毎に、正損分布Ｇｒｆ２を算出し、この正損分布Ｇｒｆ２に基づいて正損比率Ｕｒ、及びこの正損比率Ｕｒに達する正損判別レベルＬが新規に算出された。
【００６８】
しかしながら、紙葉類の正損変動が少なく、処理する紙葉類の処理量が多い場合には、紙葉類毎に正損比率Ｕｒ、及びこの正損比率Ｕｒに達する正損判別レベルＬを算出しても、図８、を参照してわかるように同一正損レベルに含まれる紙葉類の枚数が多数存在することになり、正損比率Ｕｒ及び正損判別レベＬを紙葉類毎に算出しても変化しないことが考えられる。また、紙葉類毎に正損比率Ｕｒ及び正損判別レベルＬを紙葉類毎に算出すためには、高速な演算処理が必要になる。そのため、この変形例では、紙葉類処理装置に紙葉類を供給する単位（例えば１０００枚）毎に上述した正損分布Ｇｒｆ２を算出する。
【００６９】
このようにして正損比率Ｕｒ、及びこの正損比率Ｕｒに達する正損判別レベルＬを設定することによって、紙葉類の供給の合間に紙葉類の正損判別レベルが更新されるため、正損比率Ｕｒを確保し、かつ装置に対する負荷を軽減すしながら、常に安定した正損比率Ｕｒで紙葉類が区分処理される。
【００７０】
以上述べたように本発明によれば、正損比率に基づいて紙葉類を供給する単位毎に正損判別レベルを設定することによって、紙葉類の正損変動が少ない場合には、正損比率の変動を抑えることができる紙葉類処理装置にすることができる。
【図面の簡単な説明】
【００７１】
【図１】本発明の実施例による正損比率設定方法を備えた紙葉類処理装置の概略断面図。
【図２】紙葉類判別部及び主制御部構成を示すブロック図。
【図３】紙葉類の汚れの程度による正損分布を説明する図。
【図４】正損判別レベルを記憶するリングバッファを説明する図。
【図５】券種１の正損比率に合わせて作成される正損判別レベルを示す図。
【図６】図５によって設定された正損比率及び正損判別レベル。
【図７】正損判別レベル設定処理を説明するフローチャート。
【図８】リングバッファに格納されている紙葉類の所定枚数ｎが１５００枚に設定されている場合の正損レベルの分布図。
【図９】正損判別レベルの更新を説明する図。
【符号の説明】
【００７２】
Ｐ  紙葉類
Ｇ１〜Ｇ８  分岐ゲート
Ｇ１２、Ｇ１３  分岐ゲート
１  紙葉類処理部
１０  供給部
１９  紙葉類判別部
４  施封部
４０  搬送ユニット
４２  第１施封装置
４２Ａ  羽根車
４２Ｂ  一時集積庫
４２Ｆ  搬送キャリア
５０  集積部
５７〜６２  集積装置
４００  施封制御部
５００  主制御部
５０６  記憶部
５５０  操作部
５５１  入力部
５５２  操作表示部
【図１】
2007087219.tif 000003
【図２】
2007087219.tif 000004
【図３】
2007087219.tif 000005
【図４】
2007087219.tif 000006
【図５】
2007087219.tif 000007
【図６】
2007087219.tif 000008
【図７】
2007087219.tif 000009
【図８】
2007087219.tif 000010
【図９】
2007087219.tif 000011